(57)【特許請求の範囲】
【請求項１】
（ａ）アルキル基の炭素数が１０〜２０のアルキルベンゼンスルホン酸塩類、アルキル基又はアルケニル基の炭素数が１０〜２０のアルキル又はアルケニルエーテル硫酸塩類、アルキル基又はアルケニル基の炭素数が１０〜２０のアルキル又はアルケニル硫酸塩類、炭素数が１０〜２０のアルキル基又はアルケニル基を基を有する脂肪酸若しくはその塩類から選ばれる陰イオン界面活性剤１〜３０重量％、（ｂ）下記一般式（Ｉ）で表される化合物１〜１０重量％、及び（ｃ）硫酸ナトリウムを含有し、且つ、２０℃における電気伝導度が０．０５〜１Ｓ／ｍである液体洗浄剤組成物を、積層複合フィルム基材からなり、その最内層が厚さ１００〜２００μｍのポリエチレンで形成される、肉厚５００μｍ以下の袋型プラスチック容器に充填してなる液体洗浄剤物品。
Ｒ1−(ＯＲ2)n−ＯＨ      （Ｉ）
（式中、Ｒ1は炭素数１〜４のアルキル基、ベンジル基又はフェニル基、Ｒ2は分岐鎖を有していてもよい炭素数２〜４のアルキレン基、ｎは１〜１０の数である。）
【請求項２】
前記液体洗浄剤組成物が（ｃ）成分を０．１〜１０重量％含有する請求項１記載の液体洗浄剤物品。
【発明の詳細な説明】
【０００１】
【発明の属する技術分野】
本発明は、プラスチック製容器やプラスチック製ボトルに液体洗浄剤組成物を充填してなる液体洗浄剤物品に関する
【０００２】
【従来技術】
近年、省資源やプラスチックゴミ等の問題から、詰め替え用の薄いプラスチックフィルム製の小袋（特開平８−１５７８９７号公報）や、ボトルの樹脂量を低減させた薄肉ボトル（特開平１０−３０１００号公報）に液体洗浄剤を充填した液体洗浄剤物品が提案されている。
【０００３】
一方、特開平９−１６９９９４号公報には洗浄力に優れる溶剤を含む液体洗浄剤が記載されているが、これを薄肉容器に充填して屋外に放置したときは容器の劣化が著しく商品価値を損なうという問題があった。
【０００４】
【課題を解決するための手段】
本発明は、（ａ）陰イオン界面活性剤１〜３０重量％、（ｂ）下記一般式（Ｉ）で表される化合物１〜１０重量％を含有し、且つ、２０℃における電気伝導度が０．０５〜１Ｓ／ｍである液体洗浄剤組成物を、ポリエチレン、ポリプロピレン、ポリアミド及びポリエチレンテレフタレートから選ばれる１種以上で形成される肉厚２０〜５００μｍのプラスチック容器に充填してなる液体洗浄剤物品を提供する。
Ｒ1 −(ＯＲ2)n−ＯＨ    （Ｉ）
（式中、Ｒ1 は炭素数１〜４のアルキル基、ベンジル基又はフェニル基、Ｒ2 は分岐鎖を有していてもよい炭素数２〜４のアルキレン基、ｎは１〜１０の数である。）
【０００５】
【発明の実施の形態】
本発明に用いられる液体洗浄剤組成物は、陰イオン界面活性剤（ａ）を含有する。陰イオン界面活性剤としては、アルキルベンゼンスルホン酸塩類、アルキル又はアルケニルエーテル硫酸塩類、アルキル又はアルケニル硫酸塩類、オレフィンスルホン酸塩類、アルカンスルホン酸塩類、脂肪酸塩類、アルキル又はアルケニルエーテルカルボン酸塩類、α−スルホ脂肪酸塩類、又はα−スルホ脂肪酸エステル類である。特にアルキル基の炭素数が１０〜２０のアルキルベンゼンスルホン酸塩類、アルキル基又はアルケニル基の炭素数が１０〜２０のアルキル又はアルケニルエーテル硫酸塩類、アルキル基又はアルケニル基の炭素数が１０〜２０のアルキル又はアルケニル硫酸塩類、炭素数が１０〜２０のアルキル基又はアルケニル基を基を有する脂肪酸若しくはその塩類が好ましい。陰イオン界面活性剤の含有量は、貯蔵安定性及び洗浄性能の点で、組成物中に１〜３０重量％、好ましくは３〜２２重量％である。
【０００６】
本発明に用いられる液体洗浄剤組成物は、下記一般式（Ｉ）で表される化合物１〜１０重量％を含有する。
Ｒ1 −(ＯＲ2)n−ＯＨ    （Ｉ）
（式中、Ｒ1 は炭素数１〜４のアルキル基、ベンジル基又はフェニル基、Ｒ2 は分岐鎖を有していてもよい炭素数２〜４のアルキレン基、ｎは１〜１０の数である。）
特に、洗浄性能の点からＲ1 はフェニル基、Ｒ2 はエチレン基、ｎは平均で１〜５が好ましい。
【０００７】
本発明の液体洗浄剤組成物において、（ａ）成分に対する（ｂ）成分の重量比（ｂ）／（ａ）は、容器劣化と洗浄効果の点で、０．１〜２、特に０．２〜１．２が好ましい。
【０００８】
本発明の液体洗浄剤組成物は、２０℃における電気伝導度が、容器の劣化防止の点で、０．０５Ｓ／ｍ以上、好ましくは０．０８Ｓ／ｍ以上である。また、貯蔵中の組成物の分離防止の点で、１Ｓ／ｍ以下、好ましくは０．４Ｓ／ｍ以下である。従って、該液体洗浄剤組成物の２０℃における電気伝導度は、０．０５〜１Ｓ／ｍ、好ましくは０．０８〜０．４Ｓ／ｍである。
【０００９】
ここで、電気伝導度は、被測定物質１００ｇを２００ｍｌビーカーに入れ、恒温槽で２０℃にした後、ＴＯＡ electrochemical Mesuring instrumens社製のＣＭ−６０Ｖ電気伝導度計を用いて測定した値を言う。電極はＴｙｐｅＣＴ−５４１０１Ｂである。
【００１０】
液体洗浄剤組成物の電気伝導度を上記範囲内にするには、例えば、塩化ナトリウム、塩化カリウム、塩化カルシウム等の塩化物、硫酸ナトリウム、硫酸カリウム、硫酸カルシウム等の硫酸化物、亜硫酸ナトリウム、亜硫酸カリウム等等の亜硫酸化物等の無機塩を添加する方法や、ｐ−トルエンスルホン酸塩、メタキシレンスルホン酸塩、クエン塩、リンゴ酸塩、コハク酸塩等の有機酸のアルカリ金属塩類を添加する方法が挙げられる。これらの化合物の配合量は、組成物中に０．１〜１０重量％、特に０．５〜８重量％が好ましい。
【００１１】
本発明の液体洗浄剤組成物には、本発明の効果性能を損なわない程度に各種洗浄剤成分を配合できる。例えば界面活性剤としては、ポリオキシアルキレンアルキルエーテル、アルキルポリグリコシド、脂肪族アルカノールアミド等の非イオン界面活性剤や、アミンオキシド、スルホベタイン、カルボベタイン等の両性界面活性剤、第４級アンモニウム塩類等の陽イオン界面活性剤が挙げられる。可溶化剤としてはエタノール、イソプロパノール等の低級アルコール類、エチレングリコール、プロピレングリコール、グリセリン、ソルビトール等の多価アルコール類等が挙げられる。アルカノールアミン類、香料、色素、防腐・防黴剤、増粘剤等を所望により添加しても良い。
【００１２】
本発明に用いられるプラスチック容器は、ポリエチレン、ポリプロピレン、ポリアミド、ポリエチレンテレフタレートから選ばれる１種以上の材料で形成される肉厚２０〜５００μｍのプラスチック容器である。具体的には、袋型容器又はボトル型容器が挙げられる。
【００１３】
袋型容器としては、積層複合フィルム基材からなり、その最内層、すなわち内容物と直接接触する層がポリエチレン、ポリプロピレン、ポリアミド（代表的にはナイロン）、ポリエチレンテレフタレートから選ばれる１種以上で形成される袋型容器が挙げられる。具体的には、少なくともポリエチレン、ポリプロピレン、ポリアミド、ポリエチレンテレフタレートから選ばれる１種以上で形成されるフィルム▲１▼と、これらフィルムもしくはその他の材料から形成される一層以上のフィルム▲２▼とを積層したフィルムを、互いにフィルム▲１▼が向かい合うようにして重ね合わせ周縁をヒートシール等で封止した袋が挙げられる。フィルム▲１▼の厚さは貯蔵安定性及び強度の点で２０〜２００μｍ、特に１００〜２００μｍが好ましい。また、フィルム▲１▼には線状低密度ポリエチレン、低密度ポリエチレン、無延伸ポリプロピレン、延伸ポリアミド、延伸ポリプロピレンを用いても良い。フィルム▲２▼もフィルム▲１▼の構成材料から選択することが好ましい。上記袋型容器は、公知の方法で製造できるが、例えばドライラミネート法、Ｔダイ法、共押し出しラミネート法、インフレーション法、タンデムラミネート法等が挙げられる。袋型容器の形態は、例えば所望の大きさのプラスチックフィルムの周囲をヒートシールして所望の容量の袋状にしたものが好ましい。
【００１４】
また、ボトル型容器としては、ポリプロピレン又はポリエチレンテレフタレートから選ばれる１種以上で形成される肉厚１５０〜３００μｍ、好ましくは２２５〜３００μｍのボトル等が挙げられる。ポリプロピレンの場合、透明性等の点でα−オレフィン好ましくは１−ブテンとの共重合体でも構わない。上記ボトル型容器の製法としては、例えばダイレクトブロー法や射出延伸ブロー法等が挙げられる。延伸ブロー法は特開平９−５２２７８号公報や特開平１０−６３８７号公報に記載されている。
【００１５】
【発明の効果】
本発明によれば、屋外に放置したときに生じる容器の劣化が抑制された液体洗浄剤物品が得られる。
【００１６】
【実施例】
＜容器＞
・容器１
厚さ２０μｍの延伸ナイロン、厚さ１３０μｍの線状低密度ポリエチレンを重ね合わせて長方形としたものを２組用意し、ポリエチレンを内側にして重ね合わせ、３辺をヒートシールして容積１リットルの袋型容器を作成した。
【００１７】
・容器２
延伸ブロー成形機（日精ＡＳＢ社製ＡＳＢ−５０）を使用して、ポリプロピレン製の円筒状ボトル型容器を作成した。注口部口径；２５ｍｍ、胴体部上部外径；６０ｍｍ、同肉厚２４８μｍ、胴体部中部外径；６０ｍｍ、同肉厚２３５μｍ、胴体部下部外径；６０ｍｍ、同肉厚２６３μｍ、高さ２５０ｍｍ、容量６００ｍｌ。
【００１８】
＜液体洗浄剤物品＞
表１に示す液体洗浄剤組成物を調製して、上記容器１には８００ｍｌ、容器２には５００ｍｌ充填し、下記条件で貯蔵し、容器の外観及び強度を測定した。表１にその結果を示す。
【００１９】
▲１▼容器保存安定性（容器外観）
液体洗浄剤物品１０個を屋外に３ヶ月間（６月〜９月）放置した後、容器の保存状態を観察した。全く亀裂等の破損がないものを「◎」、破損が１カ所だけのものを「○」、２〜３カ所破損があるものを「△」、破損が４カ所以上あるものを「×」とした。
【００２０】
▲２▼容器耐衝撃性（容器強度）
▲１▼で保存後の液体洗浄剤物品を、高さ２ｍの高さからステンレス板の上に落下させ、破損しないものを「○」、破損したものを「×」とした。
【００２１】
【表１】
0004112102.tif 000002
【００２２】
・ａ−１：炭素数１２〜１４の直鎖アルキルベンゼンスルホン酸ナトリウム
・ａ−２：ポリオキシエチレン（平均付加モル数３）ラウリルエーテル硫酸ナトリウム
・ｂ−１：ポリオキシエチレン（平均付加モル数３）フェニルエーテル
・ｃ−１：ｐ−トルエンスルホン酸ナトリウム
・ｃ−２：無水硫酸ナトリウム
・ｄ−１：ポリオキシエチレン（平均付加モル数８）ラウリルエーテル
・ｄ−２：ラウリルジメチルアミンオキシド
・ｄ−３：エタノール
・ｄ−４：モノエタノールアミン